(57)【要約】【課題】販売期限切れによって廃棄すべき商品しか廃棄登録できないようにする。【解決手段】各商品にそれぞれ無線タグを取付け、この無線タグに少なくとも対応する商品の識別情報を記憶させる。また、各商品が陳列されている商品陳列部１０Ａ，１０Ｂに陳列部タグ認識手段１１Ａ，１１Ｂを設ける。店舗サーバ６は、陳列部タグ認識手段により読取った無線タグ記憶情報から商品陳列部に陳列されている各商品の販売期限に関する情報を取得し、販売期限が過ぎている商品のリストを作成して、この販売期限切れ商品リストをＰＯＳ端末５に出力する。ＰＯＳ端末５は、商品の識別情報を入力する入力手段７を有する。そしてＰＯＳ端末５は、この入力手段により入力された識別情報によって識別される商品が販売期限切れ商品リスト内に存在するか否かを検索し、存在する場合には当該商品を廃棄商品としてデータ処理する。【選択図】      図３
2005135156.tif 000002
【特許請求の範囲】
【請求項１】
商品に取り付けられ、少なくともその商品の識別情報を記憶する無線タグと、
商品陳列部に設けられ、この商品陳列部に陳列されている各商品にそれぞれ取り付けられた前記無線タグから記憶情報を無線で読取る陳列部タグ認識手段と、
この陳列部タグ認識手段により読取った無線タグ記憶情報から前記商品陳列部に陳列されている各商品の販売期限に関する情報を取得し、販売期限が過ぎている商品のリストを作成する期限切れ商品リスト作成手段と、
この期限切れ商品リスト作成手段により作成された販売期限切れ商品リストを出力するリスト出力手段と、
前記商品の識別情報を入力する入力手段と、
この入力手段により入力された識別情報によって識別される商品が前記販売期限切れ商品リスト内に存在するか否かを検索し、存在する場合には当該商品を廃棄商品としてデータ処理する廃棄処理手段と、
を具備したことを特徴とする商品管理システム。
【請求項２】
前記リスト出力手段は、前記販売期限切れ商品リストを表示部に表示させる手段であり、前記表示部に前記販売期限切れ商品リストを表示させるか否かを切換えるリスト出力切換手段を設け、前記販売期限切れ商品リストが前記表示部に表示されている期間中は前記廃棄処理手段を有効に機能させることを特徴とする請求項１記載の商品管理システム。
【請求項３】
前記廃棄処理手段により廃棄商品としてデータ処理された商品を前記販売期限切れ商品リスト上で明示することを特徴とする請求項２記載の商品管理システム。
【請求項４】
前記廃棄処理手段により廃棄商品としてデータ処理された商品を前記販売期限切れ商品リストから削除すること特徴とする請求項２記載の商品管理システム。
【請求項５】
前記入力手段は、商品の代金を清算する会計部に設けられ、この会計部に持ち込まれた各商品から前記無線タグ記憶情報を無線で読取ることで識別情報の入力とする会計部タグ認識手段であることを特徴とする請求項１記載の商品管理システム。
【請求項６】
商品に取り付けられ、少なくともその商品の識別情報を記憶する無線タグと、
商品陳列部に設けられ、この商品陳列部に陳列されている各商品にそれぞれ取り付けられた前記無線タグから記憶情報を無線で読取る陳列部タグ認識手段と、
この陳列部タグ認識手段により読取った無線タグ記憶情報から前記商品陳列部に陳列されている各商品の販売期限に関する情報を取得し、販売期限が過ぎている商品のリストを作成する期限切れ商品リスト作成手段、及びこの期限切れ商品リスト作成手段により作成された販売期限切れ商品リストを通信手段を介して送信するリスト送信手段を備えた店舗サーバと、
前記通信手段を介して受信した前記販売期限切れリストを出力するリスト出力手段、前記商品の識別情報を入力する入力手段、この入力手段により入力された識別情報によって識別される商品が前記販売期限切れ商品リスト内に存在するか否かを検索し、存在する場合には当該商品を廃棄商品としてデータ処理する廃棄処理手段を備えた商品登録用端末、
とからなることを特徴とする商品管理システム。
【請求項７】
前記リスト出力手段は、販売期限切れ商品リストを表示部に表示させる手段であり、
前記商品登録用端末は、前記表示部に前記販売期限切れ商品リストを表示させるか否かを切換えるリスト出力切換手段を設け、前記販売期限切れ商品リストが前記表示部に表示されている期間中は前記廃棄処理手段を有効に機能させることを特徴とする請求項６記載の商品管理システム。
【請求項８】
前記商品登録用端末は、前記通信手段を介して前記販売期限切れリストを受信すると販売期限切れ商品があることを当該商品登録用端末のオペレータに知らせる報知手段を設け、この報知手段による報知動作に対して前記オペレータによって確認操作がなされたことを条件に前記販売期限切れリストを出力することを特徴とする請求項６または７記載の商品管理システム。
【請求項９】
前記入力手段は、前記商品登録用端末に接続され、当該商品登録用端末が設置されている会計部に持ち込まれた各商品から前記無線タグ記憶情報を無線で読取ることで識別情報の入力とする会計部タグ認識手段であることを特徴とする請求項６記載の商品管理システム。
【発明の詳細な説明】
【技術分野】
【０００１】
本発明は、弁当，おにぎり，パン，牛乳等のように消費期限が設定されており、鮮度管理が必要な商品、いわゆる鮮度管理対象商品の販売期限切れを管理する商品管理システムに関する。
【背景技術】
【０００２】
一般に、弁当等の鮮度管理対象商品を販売する店舗では、店員がこの種商品の陳列場所を定期的に見回って消費期限切れ日時に近づいた商品の有無をチェックし、該当する商品があるとそれを回収し廃棄することで、消費期限切れ商品を客に販売してしまわないように商品管理を行っている。
【０００３】
そして、この種の商品管理を簡易化するシステムとして、従来、商品に取り付けられ、その商品に関する情報を記憶する無線タグと、この無線タグに記憶される情報を無線で読取り、その商品に関する情報を得る管理装置とからなる商品管理システムが知られていた。この従来システムは、店頭に並べられる各商品に取り付けられた無線タグに、その商品の価格等の商品価値情報と消費期限等の日時情報とを予め記憶させておく。そして、管理装置は、各商品に付された無線タグから記憶情報を無線で読取り、現在日時と消費期限等の日時情報とに基づいて廃棄すべき商品の有無を判断し通知するようにしたものである。（例えば、特許文献１参照）。
【０００４】
また、各商品に取り付けられた無線タグにその商品の識別情報を記憶させるとともに、客が買上げる商品の販売データを処理する商品登録用端末に無線タグリーダを接続する。そして、この無線タグリーダによって買い物籠内に入れられた各商品にそれぞれ付されている無線タグの情報を非接触で読取り、この無線タグ記憶情報から商品登録用端末が各商品の識別情報を取得して、この商品識別情報に基づき各商品の販売データを処理するようにした商品登録処理システムも知られている（例えば、特許文献２参照）。
【０００５】
そこで、この商品販売登録処理システムに前述した商品管理システムを組み合わせることによって、商品登録用端末が各商品の無線タグ記憶情報から各商品の商品識別コードとともに日時情報を取得し、この日時情報と現在日時とから廃棄すべき商品があるとそれを通知するようにして、消費期限切れ商品を誤って販売しないようにすることは可能であった。
【特許文献１】特開２００２−８３３６９公報
【特許文献２】特開平１０−４９７５６号公報
【発明の開示】
【発明が解決しようとする課題】
【０００６】
ところで、廃棄すべき商品として店頭から回収された商品については、そのデータを商品登録用端末に廃棄登録する必要がある。この廃棄登録を怠ると、商品の販売数と廃棄数との和が仕入れ数と一致しなくなり、消費期限切れ間近等の理由により回収されたのか、万引等によって紛失したのかを管理できなくなる。そこで、この種の店舗の店員は、従来、店頭から消費期限切れ間近の商品を回収すると、客の居ない時間を見計らって商品登録用端末の業務モードを通常の売上登録モードから廃棄登録モードに切換えた後、回収した商品のデータを商品登録用端末に一品一品登録して、廃棄データをＰＯＳ（Point Of Sales）システムに登録処理していた。
【０００７】
しかしながら従来は、廃棄登録モードにおいて登録された商品、いわゆる廃棄登録された商品は無条件で廃棄商品としてデータ処理されていたので、店員が誤って若しくは故意に廃棄すべき商品でない商品を回収して廃棄登録してしまっても、その商品は廃棄商品としてデータ処理されるという不具合があった。
【０００８】
本発明はこのような事情に基づいてなされたもので、その目的とするところは、販売期限切れによって廃棄すべき商品しか廃棄登録することができず、誤って廃棄対象外の商品を回収し廃棄登録してしまったり、故意に廃棄対象外の商品を回収し廃棄登録して商品を着服したりするような店員の不正を未然に防止することができる商品管理システムを提供しようとするものである。
【課題を解決するための手段】
【０００９】
上記課題を解決するために本発明の商品管理システムは、各商品にそれぞれ無線タグを取付け、この無線タグに少なくとも対応する商品の識別情報を記憶させる。また、各商品が陳列されている商品陳列部に、その陳列部に陳列されている各商品にそれぞれ取り付けられた無線タグから記憶情報を無線で読取る陳列部タグ認識手段を設ける。そして、この陳列部タグ認識手段により読取った無線タグ記憶情報から商品陳列部に陳列されている各商品の販売期限に関する情報を取得し、販売期限が過ぎている商品のリストを作成して、この販売期限切れ商品リストを出力する。また、商品の識別情報を入力する入力手段を設ける。そして、この入力手段により入力された識別情報によって識別される商品が販売期限切れ商品リスト内に存在するか否かを検索し、存在する場合には当該商品を廃棄商品としてデータ処理するようにしたものである。
【発明の効果】
【００１０】
かかる構成の本発明によれば、販売期限切れ商品リストに掲載された商品しか廃棄商品としてデータ処理することができないので、誤って廃棄対象外の商品を回収し廃棄登録してしまったり、故意に廃棄対象外の商品を回収し廃棄登録して商品を着服したりするような店員の不正を未然に防止することができる商品管理システムを提供できる。
【発明を実施するための最良の形態】
【００１１】
以下、本発明を実施するための最良の形態について、図面を用いて説明する。  
なお、この実施の形態は、図１に示すように、弁当，おにぎり，パン，牛乳等の鮮度管理対象商品１を含む全ての商品に対して１品毎に無線タグ２を貼り付け、この無線タグ２に記憶された商品識別情報に基づいて各商品の販売データを処理するようにした商品登録処理システムに、本発明の商品管理システムを適用した場合である。因みに、図１において、符号３は値付ラベルを示している。この値付ラベル３には、通常，値段の他、加工年月日や消費期限等が印刷されている。
【００１２】
無線タグ２は、ＲＦＩＤタグ，無線ＩＤタグ等とも称され、図２に示すように、帯状の基板の外周に沿って形成されたコイル状のループアンテナ２１と、当該基板に形成されたＬＳＩチップ２２とからなる。ＬＳＩチップ２２は、ループアンテナ２１で受信した変調電波の整流と安定化を行うことによりＬＳＩチップ２２の各部に電源を供給する電源生成部２３、上記変調電波を復調して制御部２６へ送出する復調部２４、制御部２６から送出されたデータを変調してループアンテナ２１に送出する変調部２５、復調部２４で復調されたデータのメモリ２７への書込みや、メモリ２７から送信データを読み出して変調部２５へ送出する制御部２６及び不揮発性のメモリ２７で構成されている。
【００１３】
メモリ２７には、当該無線タグ２の製造段階で製造業者により割当て設定された固有の無線ＩＤ（ＲＦＩＤ）を記憶する無線ＩＤエリア２７ａと、ユーザが任意のデータを書き込むことができるユーザエリア２７ｂとが形成されている。そして、各商品にそれぞれ付されている無線タグ２のユーザエリア２７ｂには、その商品の識別情報の１つである商品固有の商品コードが予め格納されている。また、消費期限が設定されている鮮度管理対象商品１に対しては、商品コードに加えて販売期限情報がユーザエリア２７ｂに格納されている。販売期限情報は、対応する商品が消費期限切れ間近であるために廃棄しなければならない日または時刻に関する情報であり、時刻単位で消費期限が設定される鮮度管理対象商品１の場合には、例えば消費期限の時刻よりも３時間前の時刻が販売期限情報として予め設定されている。また、日付単位で消費期限が設定される鮮度管理対象商品１の場合には、例えば消費期限と同日の日付が販売期限情報として予め設定されている。
【００１４】
図３は、本実施の形態のシステム構成を示す模式図である。本実施の形態では、店内に敷設されたＬＡＮ（Local Area Network）４に、商品登録用端末として機能する１台以上のＰＯＳ端末５と、ＰＯＳ端末５の上位機として動作する店舗サーバ６とをそれぞれ接続している。
【００１５】
ＰＯＳ端末５は、客が買上げた商品の代金を清算する会計部に設置されている。ＰＯＳ端末５には、会計用タグ認識装置７が接続されている。会計用タグ認識装置７は、会計部のチェックアウトカウンタ８に置かれた買い物籠９に収容されている商品（不図示）に付された無線タグ２から記憶情報をまとめて読取るもので、会計部タグ認識手段を構成する。ＰＯＳ端末５は、会計用タグ認識装置７によって読取られた無線タグ２の記憶情報から買い物籠９に収容されている全ての商品の商品コードを取得し、この商品コードに基づいて各販売商品のデータを売上登録処理、若しくは廃棄商品として回収された各商品のデータを廃棄登録処理するものとなっている。
【００１６】
店舗サーバ６は、店のバックヤードに設置されている。店舗サーバ６には、商品陳列部を構成する複数の商品陳列棚１０Ａ，１０Ｂ，…毎にそれぞれ設けられた陳列棚用タグ認識装置１１Ａ，１１Ｂ，…が接続されている。各陳列棚用タグ認識装置１１Ａ，１１Ｂ，…は、それぞれ対応する商品陳列棚１０Ａ，１０Ｂ，…に陳列されている各商品（不図示）にそれぞれ取り付けられた無線タグ２から記憶情報をまとめて読取るもので、陳列部タグ認識手段を構成する。店舗サーバ６は、各陳列棚用タグ認識装置１１Ａ，１１Ｂ，…によって読取られた無線タグ２の記憶情報から商品陳列棚１０Ａ，１０Ｂ，…に陳列されている各商品の販売期限に関する情報を取得し、販売期限が過ぎている商品のリストを作成する機能及び作成された販売期限切れ商品リストを通信手段であるＬＡＮ４を介してＰＯＳ端末５に送信する機能を有している。
【００１７】
店舗サーバ６は、上記各機能を実現するために、店で販売される各商品に関する情報を記憶する商品情報ファイル１２、各商品を分類する属性に関する情報を記憶する属性情報ファイル１３及び各商品陳列棚１０Ａ，１０Ｂ，…にそれぞれ設けられた陳列棚用タグ認識装置１１Ａ，１１Ｂ，…に関する情報を記憶する認識装置情報ファイル１４を備えている。商品情報ファイル１２には、図４（ａ）に示すように、少なくとも商品コード，属性コード，商品名，単価，売上点数，売上金額，廃棄点数及び廃棄金額の各データ項目からなる商品情報レコードが蓄積されている。属性情報ファイル１３には、同図（ｂ）に示すように、少なくとも属性コード，属性名，廃棄管理フラグ，売上点数，売上金額，廃棄点数及び廃棄金額の各データ項目からなる属性情報レコードが蓄積されている。認識装置情報ファイル１４には、同図（ｃ）に示すように、認識装置ＩＤ及び設置場所名からなる認識装置情報レコードが蓄積されている。
【００１８】
属性情報レコードにおいて、廃棄管理フラグは、対応する属性コードによって分類される属性の商品が鮮度管理対象商品１であるときセットされるフラグである。  
認識装置情報レコードにおいて、認識装置ＩＤは、各陳列棚用タグ認識装置１１Ａ，１１Ｂ，…毎に異なるように割当設定された識別符号である。設置場所名は、対応する認識装置ＩＤによって識別される陳列棚用タグ認識装置１１Ａ，１１Ｂ，…によって無線タグ２の情報を読取り可能な商品陳列棚の識別名（例えば、弁当コーナ，パンコーナ，生鮮コーナ等）である。
【００１９】
陳列棚用タグ認識装置１１Ａ，１１Ｂ，…は、図５に示すように、上位装置である店舗サーバ６とのインターフェイス部１１１と、不揮発性のメモリ部１１２と、制御部１１３と、制御部１１３から与えられるデータを無線通信に適した変調信号に変調する変調部１１４と、変調信号を増幅してアンテナ１１６から問合せ電波として放射させる送信アンプ１１５と、アンテナ１１６で受信した電波信号を増幅する受信アンプ１１７と、増幅された電波信号からデータを復調して制御部１１３に与える復調部１１８とから構成されている。アンテナ１１６は、当該陳列棚用タグ認識装置１１Ａ，１１Ｂ，…が設けられている商品陳列棚１０Ａ，１０Ｂ，…の全域が感度範囲となるように設けられている。メモリ部１１２には、各陳列棚用タグ認識装置１１Ａ，１１Ｂ，…毎に異なるように設定された識別符号である認識装置ＩＤが予め格納されている。制御部１１３は、店舗サーバ６からインターフェイス部１１１を介して起動が指令されると所定のデータを周期的に変調部１１４に送出する機能と、復調部１１８にて復調されたデータを取込むとそのデータを認識装置ＩＤとともにタグ認識応答としてインターフェイス部１１１を介して店舗サーバ６に送出する機能とを有している。
【００２０】
因みに、会計用タグ認識装置７も、陳列棚用タグ認識装置１１Ａ，１１Ｂ，…と同様に構成されている。ただし、インターフェイス部には、上位装置としてＰＯＳ端末５が接続されている。また、アンテナは、チェックアウトカウンタ８の上部を感度範囲とするように設けられている。
【００２１】
図６は、店舗サーバ６の要部構成を示すブロック図である。店舗サーバ６は、制御部本体を構成するＣＰＵ（Central Processing Unit）６１、このＣＰＵ６１を制御するプログラム等が予め格納されたＲＯＭ（Read Only Memory）６２、ＣＰＵ６１によってデータが読出し自在に書き込まれる各種のデータエリアが形成されたＲＡＭ（Random Access Memory）６３、現在の日付及び時刻を計時する計時手段としての時計部６４、前記ＬＡＮ４を介して行うデータ通信を制御するＬＡＮコントローラ６５、前記商品情報ファイル１２，属性情報ファイル１３，認識装置情報ファイル１４等を保存するＨＤＤ（Hard Disk Drive）装置６６及び各陳列棚用タグ認識装置１１Ａ，１１Ｂ，…とのデータ通信を司るインターフェイス６７等で構成されている。
【００２２】
かかる構成の店舗サーバ６においては、図７に示すように、鮮度管理対象商品１に付されている無線タグ２のメモリ情報（ＲＦＩＤ，商品コード，販売期限情報）と、当該商品１の陳列場所を示す情報とを対応させて記憶する販売期限切れリストメモリ６３１が、ＲＡＭ６３に形成されている。
【００２３】
しかして店舗サーバ６は、例えば１分間隔で生成されるタイマ割込信号の入力に応動して、ＣＰＵ６１が図８の流れ図に示すタイマ割込処理を繰返し実行するようにプログラムされている。
【００２４】
すなわちＣＰＵ６１は、このタイマ割込処理を開始すると、先ず、ＳＴ（ステップ）１として時計部６４にて計時されている現在日時（年月日時分）を取得する。そして、ＳＴ２としてこの現在時刻が予め設定されている期限切れ監視時刻と一致したか否かを判断する。ここで、期限切れ監視時刻は、各鮮度管理対象商品１に設定されている販売期限日時の時刻より数分程度経過した時刻であり、例えば販売期限日時の時刻が０時，３時，６時……というように３時間単位で設定されている場合には、０時０１分，３時０１分，６時０１分というように３時間毎の時刻が予めＲＯＭ６２またはＲＡＭ６３に設定されている。
【００２５】
ＳＴ２において、現在時刻が期限切れ監視時刻と一致していない場合には、ＣＰＵ６１は、このタイマ割込処理を終了する。これに対し、現在時刻が期限切れ監視時刻と一致した場合には、ＣＰＵ６１は、ＳＴ３として販売期限切れリストメモリ６３１をクリアする。しかる後、ＣＰＵ６１は、ＳＴ４として各陳列棚用タグ認識装置１１Ａ，１１Ｂ，…に対して起動指令を出力する。そして、ＳＴ５として各陳列棚用タグ認識装置１１Ａ，１１Ｂ，からのタグ認識応答を待機する。
【００２６】
ここで、いずれかの陳列棚用タグ認識装置１１Ｘ（ＸはＡ，Ｂ…のいずれかであることを示す）からタグ認識応答を受信すると、ＣＰＵ６１はその都度、ＳＴ６として図９に具体的に示す販売期限切れ商品検索処理を実行する。先ず、ＳＴ１１としてタグ認識応答に含まれる認識装置ＩＤ、つまりは応答送信元の陳列棚用タグ認識装置１１Ｘに設定されている認識装置ＩＤを検出する。そして、ＳＴ１２として認識装置情報ファイル１４を検索して、当該認識装置ＩＤに対応して記憶されている設置場所名情報を取得する。
【００２７】
次に、ＣＰＵ６１は、ＳＴ１３としてタグ認識応答から１つ目の認識タグ情報（鮮度管理対象商品１の場合はＲＦＩＤと商品コードと販売期限情報、それ以外の場合はＲＦＩＤと商品コード）を検出する。そして、ＳＴ１４としてこの認識タグ情報から商品コードを取得する。
【００２８】
次に、ＣＰＵ６１は、ＳＴ１５としてＳＴ１４の処理で取得した商品コードで商品情報ファイル１２を検索して、当該商品コードが設定された商品情報レコードから属性コードを取得する。そして、ＳＴ１６としてこの属性コードで属性情報ファイル１３を検索して、当該属性コードが設定された属性情報レコードの廃棄管理フラグをチェックする。ここで、廃棄管理フラグがセットされていない場合には、対応する属性コードによって分類される属性の商品が鮮度管理対象商品１でないので、ＣＰＵ６１は、ＳＴ２０の処理に進む。
【００２９】
これに対し、廃棄管理フラグがセットされていた場合には、対応する属性コードによって分類される属性の商品が鮮度管理対象商品１であるので、ＣＰＵ６１は、ＳＴ１７としてＳＴ１３の処理で検出した認識タグ情報から販売期限情報を取得する。そして、ＳＴ１８としてこの販売期限情報によって設定されている販売期限日時を既に経過しているか否かを判断する。ここで、現在日時が販売期限日時を経過していない場合には、ＳＴ２０の処理に進む。
【００３０】
これに対し、現在日時が販売期限日時を経過している場合には、ＣＰＵ６１は、ＳＴ１９としてＳＴ１３の処理で検出した認識タグ情報のＲＦＩＤ，商品コード及び販売期限情報と、ＳＴ１２の処理で取得した設置場所名情報とを、販売期限切れリストメモリ６３１に順番に格納する。その後、ＳＴ２０の処理に進む。
【００３１】
ＳＴ２０では、ＣＰＵ６１は、タグ認識応答に次の認識タグ情報が有るか否かを判断する。ここで、次の認識タグ情報がある場合には、ＳＴ１３の処理戻り、次のタグ認識情報を検出して、ＳＴ１４〜ＳＴ２０の各処理を繰り返し実行する。こうして、タグ認識応答に含まれる全ての認識タグ情報を順次検出し、ＳＴ１４〜ＳＴ２０の各処理を実行して、ＳＴ２０にて次の認識タグ情報無しを判断したならば、ＣＰＵ６１は、今回の販売期限切れ商品検索処理を終了する。
【００３２】
ここに、店舗サーバ６は、陳列棚用タグ認識装置１１Ａ，１１Ｂ，……で読取った無線タグ２の記憶情報から商品陳列棚１０Ａ，１０Ｂ…に陳列されている各鮮度管理対象商品１の販売期限に関する情報を取得し、販売期限が過ぎている鮮度管理対象商品１のリストを販売期限切れリストメモリ６３１上で作成する期限切れ商品リスト作成手段を備えている。
【００３３】
図８に説明を戻す。  
タグ認識応答があったいずれかの陳列棚用タグ認識装置１１Ｘに対する販売期限切れ商品検索処理を終了すると、ＣＰＵ６１は、ＳＴ７としてタグ認識処理を終了したか否かを判断する。ここで、起動指令を与えた全ての陳列棚用タグ認識装置１１Ａ，１１Ｂ，…からタグ認識応答を受信したか、起動指令を出力後、所定時間を経過すると、ＣＰＵ６１は、タグ認識処理終了と判断する。そして、タグ認識処理終了と判断したならば、ＣＰＵ６１は、ＳＴ８として販売期限切れ商品の有無を判断する。ここで、販売期限切れリストメモリ６３１にＲＦＩＤ，商品コード，販売期限情報及び陳列場所名情報のデータが１つでも格納されていた場合には、販売期限切れ商品有りと判断する。そして、販売期限切れ商品有りの場合には、ＣＰＵ６１は、ＳＴ９として販売期限切れリストメモリ６３１に格納された販売期限切れリストデータを読出し、ＬＡＮ４を介してＰＯＳ端末５に送信して、今回のタイマ割込処理を終了する。なお、販売期限切れ商品無しの場合には、ＣＰＵ６１は、ＳＴ９の処理を行うことなく今回のタイマ割込処理を終了する。
【００３４】
ここに、店舗サーバ６は、期限切れ商品リスト作成手段により作成された販売期限切れ商品リストを通信手段であるＬＡＮ４を介して送信するリスト送信手段を備えている。
【００３５】
図１０は、ＰＯＳ端末５の要部構成を示すブロック図である。ＰＯＳ端末５は、ＣＰＵ５１，ＲＯＭ５２，ＲＡＭ５３，時計部５４、ＬＡＮコントローラ５５及び前記会計用タグ認識装置７とのデータ通信を司るインターフェイス５６の他、キーボード５７，オペレータ用ディスプレイ５８，客用ディスプレイ５９，レシート・ジャーナル印字用のプリンタ５１０及びドロワ５１１等の各種機器によって構成されている。
【００３６】
キーボード５７には、特にタグキーＫ１と締めキーＫ２とが設けられている。タグキーＫ１は、会計用タグ認識装置７の起動を指令するキーである。締めキーＫ２は、売上登録処理及び廃棄登録処理の締めを宣言するキーである。
【００３７】
オペレータ用ディスプレイ５８は、ＰＯＳ端末５を操作するオペレータに対して各種のデータを表示するもので、本実施の形態ではタッチパネル付ディスプレイが用いられている。
【００３８】
かかる構成のＰＯＳ端末５においては、図１１に示すように、ＲＦＩＤ，商品コード及び販売期限情報の各データを蓄積可能な認識タグ情報メモリ５３１と、商品コードと販売期限情報の各データを蓄積可能な廃棄エラーメモリ５３２と、ＲＦＩＤ，商品コード，販売期限情報，陳列場所名情報，廃棄済フラグ及び商品登録中フラグの各データを蓄積可能な期限切れ商品メモリ５３３、商品コード，単価，点数，金額の各データを蓄積可能なトランザクションメモリ５３４、廃棄登録フラグ，アイコン表示中フラグ，リスト表示中フラグ，廃棄登録中フラグ，廃棄エラーフラグ及び商品登録中フラグの各種フラグデータを記憶するフラグメモリ５３５が、ＲＡＭ５３に形成されている。
【００３９】
しかしてＰＯＳ端末５は、キーボード５７のキー操作若しくはオペレータ用ディスプレイ５８に表示されるメニュー画面のタッチ操作により、各種業務メニューの中から登録業務の実行が指令されると、図１２の流れ図に示す処理を実行するようにプログラムされている。
【００４０】
すなわちＣＰＵ５１は、この登録業務処理を開始すると、先ず、ＲＡＭ５３の初期化処理を行い、フラグメモリ５２５に記憶された各種フラグデータを“０”にリセットする（ＳＴ２１）。次に、ＣＰＵ５１は、アイコン表示中フラグがセットされるまでの間（ＳＴ２４）、キーボード５７のキー操作が行われるか（ＳＴ２２）、店舗サーバ６からＬＡＮ４を経由して送信されてくる販売期限切れリストデータを受信するのを待機する（ＳＴ２３）。
【００４１】
ここで、販売期限切れリストデータを受信した場合には（ＳＴ２３のＹＥＳ）、ＣＰＵ５１は、図１３の流れ図に具体的に示す期限切れリスト受信処理を実行する。すなわち、受信した販売期限切れリストデータを期限切れ商品メモリ５３３に格納する。このとき、期限切れ商品メモリ５３３の各データに対応した廃棄済フラグは、全て“０”にリセットする。また、図１８に示すように、オペレータ用ディスプレイ５８に表示されている商品登録画面Ｇ１に期限切れアイコンＡ１を表示させて、販売期限切れ商品があることをオペレータに報知する。そして、フラグメモリ５３５のアイコン表示中フラグを“１”にセットする。
【００４２】
ここに、ＰＯＳ端末５は、店舗サーバ６からＬＡＮ４を介して販売期限切れリストデータを受信すると、期限切れアイコンＡ１の表示により販売期限切れ商品があることを当該ＰＯＳ端末５のオペレータに知らせる報知手段を備えている。
【００４３】
こうして、アイコン表示中フラグがセットされると、ＣＰＵ５１は、リスト表示中フラグがセットされるまで（ＳＴ２７）、キーボード５７のキー操作が行われるか（ＳＴ２２）、次の販売期限切れリストデータを受信するか（ＳＴ２３）、商品登録画面Ｇ１の期限切れアイコンＡ１がタッチ操作されるのを待機する（ＳＴ２５）。
【００４４】
ここで、期限切れアイコンＡ１がタッチ操作されたことを検知した場合には（ＳＴ２５のＹＥＳ）、ＣＰＵ５１は、商品登録中フラグがセットされているか否かを判断する（ＳＴ２６）。そして、セットされている場合には（ＳＴ２６のＹＥＳ）、期限切れアイコンＡ１のタッチ操作を無効とする。
【００４５】
これに対し、商品登録中フラグが“０”にリセットされていた場合には（ＳＴ２６のＮＯ）、ＣＰＵ５１は、図１４の流れ図に具体的に示す期限切れアイコン入力処理を実行する。すなわち、期限切れ商品メモリ５３３に記憶されているデータに基づいて期限切れ商品リスト画面Ｇ２を作成し、図１９に示すように、オペレータ用ディスプレイ５８にこの期限切れ商品リスト画面Ｇ２を表示させる。また、フラグメモリ５３５の廃棄登録フラグとリスト表示中とをそれぞれ“１”にセットする。
【００４６】
因みに、期限切れ商品リスト画面Ｇ２には、販売期限切れ商品の商品名，販売期限日時，陳列場所名及び廃棄済か否かを示す廃棄状態情報のリストＬ１と、閉じるアイコンＡ２とが表示される。ここで、リストＬ１の商品名は、期限切れ商品メモリ５３３に記憶されている商品コードに対応して、店舗サーバ６の商品情報ファイル１２に設定されている商品名である。廃棄状態情報は、対応する廃棄済フラグが“１”にセットされると「廃棄済」と表示される。
【００４７】
ここに、ＰＯＳ端末５は、販売期限切れ商品リストＬ１をオペレータ用ディスプレイ５８に表示させるリスト出力手段を備えている。そして、このリスト出力手段は、報知手段による報知動作、つまり期限切れアイコンＡ１の表示に対してオペレータによって確認操作がなされたこと、つまり期限切れアイコンＡ１がタッチ操作されたことを条件に販売期限切れ商品リストＬ１を出力するものとなっている。
【００４８】
こうして、リスト表示中フラグがセットされると、ＣＰＵ５１は、キーボード５７のキー操作が行われるか（ＳＴ２２）、次の販売期限切れリストデータを受信するか（ＳＴ２３）、期限切れ商品リスト画面Ｇ２の閉じるアイコンＡ２がタッチ操作されるのを待機する（ＳＴ２８）。
【００４９】
ここで、閉じるアイコンＡ２がタッチ操作されたことを検知した場合には（ＳＴ２８のＹＥＳ）、ＣＰＵ５１は、図１５の流れ図に具体的に示す閉じるアイコン入力処理を実行する。すなわち、期限切れ商品リスト画面Ｇ２を消去して、オペレータ用ディスプレイ５８の画面を商品登録画面Ｇ１に戻す。また、フラグメモリ５３５の廃棄登録フラグとリスト表示中とをそれぞれ“０”にリセットする。
【００５０】
次に、ＣＰＵ５１は、期限切れ商品メモリ５３３を検索して、廃棄済フラグが“１”にセットされていないデータの有無を判断する。そして、廃棄済フラグが“１”にセットされていないデータが存在しない場合には、ＣＰＵ５１は、期限切れ商品メモリ５３３をクリアする。また、商品登録画面Ｇ１に表示していた期限切れアイコンＡ１を消去する。さらに、フラグメモリ５３５のアイコン表示中フラグをリセットする。これに対し、廃棄済フラグが“１”にセットされていないデータが１つでも存在する場合には、ＣＰＵ５１は上記処理を実行しない。したがって、商品登録画面Ｇ１には期限切れアイコンＡ１が表示されたままとなる。
【００５１】
ここに、ＰＯＳ端末５は、販売期限切れ商品リストＬ１をオペレータ用ディスプレイ５８に表示させるか否かを切換えるリスト出力切換手段を備えている。
【００５２】
キーボード５７のキー操作が行われた場合には（ＳＴ２２のＹＥＳ）、ＣＰＵ５１は、その操作キーに対応したキー入力処理を実行する。
【００５３】
図１６は、タグキーＫ１が操作されたことに応じて実行するタグキー入力処理の要部を示す流れ図である。すなわちＣＰＵ５１は、タグキーＫ１が操作されたことを検知すると、先ず、ＳＴ３１としてトランザクションメモリ５３４，認識タグ情報メモリ５３１及び廃棄エラーメモリ５３２をクリアする。次に、ＣＰＵ５１は、ＳＴ３２として会計用タグ認識装置７に対して起動指令を出力する。そして、ＳＴ３３としてこの会計用タグ認識装置７からのタグ認識応答を待機する。
【００５４】
ここで、会計用タグ認識装置７から所定時間内にタグ認識応答を受信すると、ＣＰＵ５１は、ＳＴ３４としてタグ認識応答に含まれている全ての認識タグ情報（鮮度管理対象商品１の場合はＲＦＩＤと商品コードと販売期限情報、それ以外の場合はＲＦＩＤと商品コード）を検出し、認識タグ情報メモリ５３１に順番に格納する。
【００５５】
ここに、ＰＯＳ端末５は、商品識別情報である商品コードの入力手段として会計用タグ認識装置７を備えている。
【００５６】
次に、ＣＰＵ５１は、ＳＴ３５として廃棄登録フラグがセットされているか否かを判断する。ここで、廃棄登録フラグがセットされていない場合には、通常の売上登録業務なので、ＣＰＵ５１は、商品登録中フラグを“１”にセットした後、認識タグ情報メモリ５３１に格納された各商品コードに基づいて販売商品の一括売上登録処理を実行する。例えば、各商品コードにそれぞれ対応して設定されている単価を商品情報ファイル１２から読出し、商品コード，単価，点数（＝１），金額（単価×点数）の売上トランザクションデータをトランザクションメモリ５３４に順次格納する処理等を行う。
【００５７】
これに対し、廃棄登録フラグがセットされていた場合には、廃棄登録業務なので、ＣＰＵ５１は、ＳＴ３６として所定の読出しカウンタｎを一旦“０”にリセットした後、ＳＴ３７としてこの読出しカウンタｎを“１”だけカウントアップする。そして、認識タグ情報メモリ５３１からＮｏ．ｎ（ｎは読出しカウンタの値）のエリアに格納されている認識タグ情報を取得する。
【００５８】
ここで、ＳＴ３９として認識タグ情報メモリ５３１からＮｏ．ｎの認識タグ情報を取得できたならば、ＣＰＵ５１は、ＳＴ４０として当該認識タグ情報とＲＦＩＤ，商品コード及び廃棄期限に関して一致するデータが期限切れ商品メモリ５３３に格納されているか否かを判断する。そして、格納されていた場合には、当該認識タグ情報の無線タグ２が付された商品は廃棄対象の販売期限切れ商品なので、ＣＰＵ５１は、ＳＴ４１として期限切れ商品メモリ５３３の当該認識タグ情報と一致するデータの廃棄済フラグを“１”にセットする。また、ＳＴ４２として当該認識タグ情報の商品コードに対応して設定されている単価を商品情報ファイル１２から読出し、商品コード，単価，点数（＝１），金額（単価×点数）の廃棄トランザクションデータをトランザクションメモリ５３４に格納する。さらに、ＳＴ４３としてオペレータ用ディスプレイ５８に表示されている販売期限切れ商品リストＬ１の当該商品に関するデータの廃棄状態エリアに「廃棄済」を表示させる。
【００５９】
ここに、ＰＯＳ端末５は、会計用タグ認識装置７を介して入力された商品コードで識別される商品が販売期限切れ商品リストＬ１内に存在するか否かを検索し、存在する場合には当該商品を廃棄商品としてデータ処理する廃棄処理手段を備えている。そして、この廃棄処理手段は、廃棄登録フラグがセットされているとき、すなわち販売期限切れ商品リストＬ１がオペレータ用ディスプレイ５８に表示されている期間中、有効としている。また、廃棄処理手段により廃棄商品としてデータ処理された商品を販売期限切れ商品リストＬ１上で「廃棄済」と明示している。
【００６０】
しかる後、ＣＰＵ５１は、ＳＴ４４としてフラグメモリ５３５の廃棄登録中フラグがセットされているか否かを判断する。ここで、廃棄登録中フラグが“０”にリセットされていた場合には、ＳＴ４５としてこの廃棄登録中フラグを“１”にセットする。廃棄登録中フラグが既に“１”にセットされていた場合には、ＳＴ４５の処理を実行しない。
【００６１】
その後、ＣＰＵ５１は、ＳＴ３７の処理に戻り、読出しカウンタＮをさらに“１”だけカウントアップしたならば、ＳＴ３８以降の処理を再度実行する。すなわち、認識タグ情報メモリ５３１からＮｏ．ｎのエリアに格納されている認識タグ情報を取得し、当該認識タグ情報と一致するデータが期限切れ商品メモリ５３３に格納されているか否かを判断して、格納されていることを確認したならば、対応する廃棄済フラグのセット及び廃棄トランザクションデータの生成・記憶と、「廃棄済」の表示の各処理を実行する。
【００６２】
なお、認識タグ情報メモリ５３１のＮｏ．ｎのエリアから取得した認識タグ情報とＲＦＩＤ，商品コード及び廃棄期限に関して一致するデータが期限切れ商品メモリ５３３に格納されていないことを確認した場合には、当該認識タグ情報の無線タグ２が付された商品は廃棄対象外の商品なので、ＣＰＵ５１は、ＳＴ４６として廃棄エラーメモリ５３２に当該認識タグ情報の商品コードと販売期限情報を格納する。そして、ＳＴ４７としてフラグメモリ５３５の廃棄エラーフラグがセットされているか否かを判断し、リセットされていた場合には、ＳＴ４８としてこの廃棄エラーフラグを“１”にセットする。その後、ＣＰＵ５１は、ＳＴ３７の処理に戻り、読出しカウンタＮをさらに“１”だけカウントアップして、ＳＴ３８以降の処理を再度実行するものとなっている。
【００６３】
こうして、認識タグ情報メモリ５３１に格納されている全ての認識タグ情報についてＳＴ４１，４２，４３の廃棄登録処理またはＳＴ４６の廃棄エラー処理を実行し、ＳＴ３９にてＮｏ．Ｎの認識タグ情報無しを確認したならば、ＣＰＵ５１は、ＳＴ４９としてオペレータ用ディスプレイ５８に、例えば「廃棄登録を完了しました」等のメッセージを表示させて、このタグキー入力処理を終了する。
【００６４】
図１７は、締めキーＫ２の操作により実行される締めキー入力処理の要部を示す流れ図である。すなわちＣＰＵ５１は、締めキーＫ２が操作されたことを検知すると、先ず、ＳＴ５１として廃棄登録フラグがセットされているか否かを判断する。ここで、廃棄登録フラグがセットされていない場合には、通常の売上登録業務なので、ＣＰＵ５１は、売上登録締め処理を実行する。例えば、トランザクションメモリ５３４に格納されている売上トランザクションデータを店舗サーバ６にＬＡＮ４を介して送信する。また、プリンタ５１０を駆動して売上トランザクションデータの内容に基づき売上レシートを印字し発行する。さらに、ドロワ５１１を開放させる。しかる後、ＣＰＵ５１は、商品登録中フラグを“０”にリセットして、売上登録業務時における締めキー入力処理を終了するものとなっている。
【００６５】
これに対し、廃棄登録フラグがセットされていた場合には、廃棄登録業務なので、ＣＰＵ５１は、ＳＴ５２として廃棄登録中フラグがセットされているか否かを判断する。そして、セットされている場合には、廃棄登録処理されたデータがトランザクションメモリ５３４に格納されているので、ＣＰＵ５１は、ＳＴ５３としてプリンタ５１０を駆動してトランザクションメモリ５３４に格納されている廃棄トランザクションデータの内容をレシート用紙に印字する。そして、ＳＴ５４としてレシート用紙を切断して廃棄登録レシートとして発行する。また、ＳＴ５５として廃棄トランザクションデータを店舗サーバ６にＬＡＮ４を介して送信する。しかる後、ＳＴ５６として廃棄登録中フラグをリセットする。ＳＴ５２にて廃棄登録中フラグがセットされていない場合には、上記ＳＴ５３〜ＳＴ５６の各処理を実行しない。
【００６６】
次に、ＣＰＵ５１は、ＳＴ５７として廃棄エラーフラグがセットされているか否かを判断する。そして、セットされている場合には、廃棄エラー処理されたデータが廃棄エラーメモリ５３２に格納されているので、ＣＰＵ５１は、ＳＴ５８としてプリンタ５１０を駆動して廃棄エラーメモリ５３２に格納されている商品コードに対応する商品名と販売期限情報とをレシート用紙に印字する。そして、ＳＴ５９としてレシート用紙を切断して廃棄エラーレシートとして発行する。しかる後、ＳＴ６０として廃棄エラーフラグをリセットする。ＳＴ５７にて廃棄エラーフラグがセットされていない場合には、上記ＳＴ５８〜ＳＴ６０の各処理を実行しない。  
その後、ＣＰＵ５１は、ＳＴ６１としてオペレータ用ディスプレイ５８に表示していた廃棄登録完了のメッセージを消去して、この締めキー入力処理を終了する。
【００６７】
因みに、ＰＯＳ端末５からＬＡＮ４を経由して送信されてくる売上トランザクションデータを受信した店舗サーバ６においては、その売上トランザクションデータに存在する商品コードに対応した商品情報ファイル１２の売上点数及び売上金額データに当該売上トランザクションデータの点数と金額を加算する。また、同様にして廃棄トランザクションデータを受信した店舗サーバ６においては、その廃棄トランザクションデータに存在する商品コードに対応した商品情報ファイル１２の廃棄点数及び廃棄金額データに当該廃棄トランザクションデータの点数と金額を加算するものとなっている。
【００６８】
このように本実施の形態においては、各商品に無線タグ２が取り付けられており、その無線タグ２のメモリ２７には、各商品の識別情報としてＲＦＩＤと商品コードがそれぞれ格納されている。また、弁当等の鮮度管理対象商品１に取り付けられている無線タグ２のメモリ２７には、商品コードとともに販売期限情報が格納されている。
【００６９】
また、各商品が陳列される商品陳列棚１０Ａ，１０Ｂ，…には、それぞれ陳列棚用タグ認識装置１１Ａ，１１Ｂ，…が設けられている。各陳列棚用タグ認識装置１１Ａ，１１Ｂ，…は、店舗サーバ６の制御により定期的に動作して、自らが設けられている商品陳列棚１０Ａ，１０Ｂ，…に陳列されている各商品に付された無線タグ２のメモリ情報を読取り、店舗サーバ６に送信するようになっている。
【００７０】
店舗サーバ６は、各陳列棚用タグ認識装置１１Ａ，１１Ｂ，…によって認識された各無線タグ２のメモリ情報から鮮度管理対象商品１の販売期限情報を取得し、現在時刻と比較して、販売期限切れ商品の有無をチェックする。そして、販売期限切れ商品がある場合にはそのリストを作成する。そして、この販売期限切れ商品のリストデータをＰＯＳ端末５にＬＡＮ４を介して送信する。
【００７１】
一方、通常の売上登録業務が実行されているＰＯＳ端末５において、ＬＡＮ４を経由して店舗サーバ６から販売期限切れ商品のリストデータが送られてくると、そのオペレータ用ディスプレイ５８に期限切れアイコンＡ１が表示される。これにより、ＰＯＳ端末５のオペレータは、販売期限切れ商品があることを容易に認識できる。
【００７２】
そして、販売期限切れ商品があることを認識したオペレータは、会計を行う客が途切れたときを見計らって期限切れアイコンＡ１をタッチ操作する。そうすると、オペレータ用ディスプレイ５８に期限切れ商品リスト画面Ｇ２が表示される。
【００７３】
例えば、今、図１９に示す画面例の期限切れ商品リスト画面Ｇ２が表示されたとする。なお、廃棄状態はいずれも廃棄済でない状態（空欄）となっている。この画面Ｇ２の販売期限切れ商品リストＬ１から、オペレータは、販売期限切れ商品として「Ａおにぎり」，「Ｂ弁当」，「Ｃパン」，「Ｄ牛乳」の４品目があることを知り得る。そこでオペレータは、それぞれ該当する陳列場所に行って販売期限切れ商品を回収する。このとき、例えば「Ａおにぎり」が弁当コーナに複数陳列されていた場合には、値付ラベル３に印刷されている消費期限日時が現在日時から３時間以内の「Ａおにぎり」を回収する。
【００７４】
販売期限切れ商品を回収したオペレータは、この回収した商品をチェックアウトカウンタ８に載せ、ＰＯＳ端末５のタグキーＫ１を操作する。なお、回収した商品は買物籠９に入れてもよいし入れなくてもよい。タグキーＫ１を操作すると、会計用タグ認識装置７が動作して、チェックアウトカウンタ８に載せられた各商品にそれぞれ付されている無線タグ２のメモリ情報が一括して読取られる。そして、販売期限切れ商品のリストデータに存在するメモリ情報か否かがチェックされる。
【００７５】
ここで、販売期限切れ商品のリストデータに存在するメモリ情報であった場合には、そのメモリ情報の商品コードに基づいて廃棄トランザクションデータが生成されて、トランザクションメモリ５３４に格納される。また、期限切れ商品リスト画面Ｇ２に表示されているリストＬ１の当該商品コードに対応する商品名の廃棄状態エリアに「廃棄済」が表示される。これに対し、販売期限切れ商品のリストデータに存在しないメモリ情報であった場合には、そのメモリ情報の商品コードと販売期限情報が廃棄エラーメモリ５３２に格納される。
【００７６】
こうして、会計用タグ認識装置７によって認識された全ての無線タグ２のメモリ情報についてチェックが終了すると、オペレータ用ディスプレイ５８に廃棄登録完了メッセージが表示される。そこでオペレータは、締めキーＫ２を操作する。そうすると、トランザクションメモリ５３４に廃棄トランザクションデータが格納されていた場合には、この廃棄トランザクションデータが店舗サーバ６に送信されて、該当する商品の廃棄データが累積処理される。また、廃棄登録レシートが印字発行される。また、廃棄エラーメモリ５３２にデータが格納されていた場合には、このデータに基づいて廃棄エラーレシートが印字発行される。そして、廃棄登録完了メッセージが消去される。
【００７７】
したがって、オペレータは、回収した商品のうち廃棄登録レシートにデータが印字されている商品については、販売期限切れ商品なので廃棄する。これに対し、廃棄エラーレシートにデータが印字されている商品については、販売期限切れ商品でないので商品陳列棚に戻す。
【００７８】
例えば、図１９に示した販売期限切れ商品リストＬ１を見たオペレータが商品コードが同一の「Ａおにぎり」でも販売期限日時が未だ経過していない「Ａおにぎり」を誤って回収したとする。この場合、会計用タグ認識装置７によって認識された「Ａおにぎり」の認識タグ情報と、販売期限切れ商品のリストデータに含まれる「Ａおにぎり」の認識タグ情報とは、商品コードが一致するもののＲＦＩＤと販売期限情報が一致しないので、廃棄エラーレシートにデータが印字される。したがって、販売期限切れ商品でない商品を誤って回収し廃棄してしまうミスを未然に防止することができる。
【００７９】
さて、廃棄登録完了メッセージが消去されると、オペレータは、期限切れ商品リスト画面Ｇ２の閉じるアイコンＡ２をタッチ操作する。すると、期限切れ商品リスト画面Ｇ２が消去され、商品登録画面Ｇ１に戻る。このとき、期限切れ商品メモリ５３３に格納されているデータの廃棄済フラグが全て“１”にセットされていた場合、つまり販売期限切れ商品が全て回収された場合には、期限切れアイコンＡ１が消去される。ところが、期限切れ商品メモリ５３３に格納されているデータの中に１つでも廃棄済フラグが“１”にセットされていないデータが存在する場合には、期限切れアイコンＡ１が継続して表示される。これにより、オペレータは、廃棄期限切れ商品の回収が済んでいないことを認識できる。
【００８０】
このように本実施の形態によれば、店舗サーバ６において作成された販売期限切れ商品リストＬ１に掲載されている商品、すなわち販売期限切れによって廃棄すべき商品しか廃棄登録することができない。したがって、誤って廃棄対象外の商品を回収し廃棄登録してしまったり、故意に廃棄対象外の商品を回収し廃棄登録して商品を着服したりするような店員の不正を未然に防止することができる。
【００８１】
また、販売期限切れ商品として回収した商品をチェックアウトカウンタ８に載せ、タグキーＫ１と締めキーＫ２を操作するだけで、回収した商品の廃棄登録が実行されるので、回収した商品の商品コードを１品１品入力操作して廃棄登録していた従来よりも手間を簡略化でき、廃棄登録業務に要する時間の短縮と効率化を図ることができる。
【００８２】
また、通常の売上登録業務を実行している最中に期限切れアイコンＡ１をタッチ操作して販売期限切れ商品リストＬ１を表示させると、廃棄登録業務に切換わる。また、期限切れ商品リスト画面Ｇ２の閉じるアイコンＡ２をタッチ操作して販売期限切れ商品リストＬ１を消去すると、売上登録業務に復帰する。したがって、売上登録業務から廃棄登録業務への煩雑なモード切換操作も不要となるので、この点においても操作性の向上を図ることができる。
【００８３】
なお、前記実施の形態では、各鮮度管理対象商品１にそれぞれ付された無線タグ２に、当該商品の販売期限情報を記憶させるようにしたが、例えば各鮮度管理対象商品１にそれぞれ付された無線タグ２のＲＦＩＤに対応して当該商品の商品コードや販売期限情報を設定記憶したデータベースを作成することによって、無線タグ２から商品コードや販売期限情報を省略することができる。
【００８４】
また、前記実施の形態では、販売期限切れ商品リストＬ１に廃棄状態エリアを設け、タグキー入力処理のＳＴ４３において廃棄済フラグがセットされた商品に対して「廃棄済」を表示させて廃棄商品としてデータ処理された商品であることを明示したが、廃棄済フラグがセットされた商品のデータを販売期限切れ商品リストＬ１から削除してもよい。この場合、販売期限切れ商品リストＬ１から廃棄状態エリアを省略することができる。
【図面の簡単な説明】
【００８５】
【図１】本発明の一実施の形態で使用する商品と無線タグの関係を示す模式図。
【図２】無線タグの要部構成を示すブロック図。
【図３】同実施の形態のシステム構成図。
【図４】図３の商品情報ファイル，属性情報ファイル及び認識装置品情報ファイルにそれぞれ記憶されるレコードのデータ構造を示す模式図。
【図５】図３における棚用タグ認識装置の要部構成を示すブロック図。
【図６】図３における店舗サーバの要部構成を示すブロック図。
【図７】同店舗サーバのＲＡＭに形成される期限切れリストメモリを示す模式図。
【図８】同店舗サーバのＣＰＵが実行するタイマ割込処理の要部を示す流れ図。
【図９】図８における販売期限切れ商品検索処理を具体的に示す流れ図。
【図１０】図３におけるＰＯＳ端末の要部構成を示すブロック図。
【図１１】同ＰＯＳ端末のＲＡＭに形成される主要なメモリエリアを示す模式図。
【図１２】同ＰＯＳ端末のＣＰＵが実行する登録業務処理の要部を示す流れ図。
【図１３】図１２における期限切れリスト受信処理を具体的に示す流れ図。
【図１４】図１２における期限切れアイコン入力処理を具体的に示す流れ図。
【図１５】図１２における閉じるリスト受信処理を具体的に示す流れ図。
【図１６】図１２におけるタグキー入力処理を具体的に示す流れ図。
【図１７】図１２における締めキー入力処理を具体的に示す流れ図。
【図１８】同実施の形態においてＰＯＳ端末のオペレータ用ディスプレイに表示される商品登録画面の一例を示す模式図。
【図１９】同実施の形態においてＰＯＳ端末のオペレータ用ディスプレイに表示される販売期限切れリスト画面の一例を示す模式図。
【符号の説明】
【００８６】
１…鮮度管理対象商品、２…無線タグ、４…ＬＡＮ（通信手段）、５…ＰＯＳ端末、６…店舗サーバ、７…会計用タグ認識装置、１０Ａ，１０Ｂ…商品陳列棚、１１Ａ，１１Ｂ…陳列棚用タグ認識装置、１２…商品情報ファイル、１３…属性情報ファイル、１４…認識装置情報ファイル、５３１…認識タグ情報メモリ、５３２…廃棄エラーメモリ、５３３…期限切れ商品メモリ、５３４…トランザクションメモリ、５３５…フラグメモリ、６３１…期限切れリストメモリ、Ａ１…期限切れアイコン、Ａ２…閉じるアイコン、Ｇ１…商品登録画面、Ｇ２…期限切れ商品リスト画面、Ｋ１…タグキー、Ｋ２…締めキー、Ｌ１…販売期限切れ商品リスト。
【図１】
2005135156.tif 000003
【図２】
2005135156.tif 000004
【図３】
2005135156.tif 000005
【図４】
2005135156.tif 000006
【図５】
2005135156.tif 000007
【図６】
2005135156.tif 000008
【図７】
2005135156.tif 000009
【図８】
2005135156.tif 000010
【図９】
2005135156.tif 000011
【図１０】
2005135156.tif 000012
【図１１】
2005135156.tif 000013
【図１２】
2005135156.tif 000014
【図１３】
2005135156.tif 000015
【図１４】
2005135156.tif 000016
【図１５】
2005135156.tif 000017
【図１６】
2005135156.tif 000018
【図１７】
2005135156.tif 000019
【図１８】
2005135156.tif 000020
【図１９】
2005135156.tif 000021